(57)【要約】      （修正有）【課題】簡便で、かつ、スペース効率の良い水素水生成器を提供する。【解決手段】ポット１には内容器１２が収容されている。前記内容器１２は前記ポット１に注がれた原水と前記水素水とが混合するのを抑制する。前記ポット１には前記内容器１２との間に注ぎ口１０が形成されている。前記注ぎ口１０は前記電気分解により発生した水素ガスが原水中に溶解した水素水を前記ポット１から注ぎ出すためのもので、開閉蓋１３で開閉される。前記内容器１２内には原水にミネラル（鉱物質）分を付加してミネラル水を生成する供給部５が設けられている。前記供給部５は、カートリッジ方式で交換可能であり、Ｃａ、Ｍｇ、Ｚｎなどのミネラル成分を含んだ天然鉱石や原水中にミネラルを付加する人工のミネラルセラミックをフィルタ内に収容し、前記フィルタごとカートリッジケース内に収容されている。なお、カートリッジケースの上端には原水に注入口が開口している。【選択図】図５
0003193833.tif 000002
【実用新案登録請求の範囲】
【請求項１】
ポットと、
前記ポットに収容され、前記ポット内の原水を浄化するための浄水部と、
前記ポット内に収容され前記浄水部で浄化された原水の一部を電気分解するための少なくとも一対の電極と、
前記ポットに形成され、前記電気分解により発生した水素ガスが原水中に溶解した水素水を前記ポットから注ぎ出すための注ぎ口とを備えた、水素水生成器。
【請求項２】
前記一対の電極を形成する２枚の板状の電極板を前記電極板が延びる平面において互いに離間させる迷路状の溝と、
前記２枚の電極板を挟み付けると共に前記２枚の電極板を前記ポットの底部に沿って固定するためのリテーナと、を備えていることを特徴とする、請求項１に記載の水素水生成器。
【請求項３】
前記ポットに収容され、前記ポットに注がれた原水と前記水素水とが混合するのを抑制する内容器と、
前記内容器内の原水にミネラル分を付加してミネラル水を生成する供給部と、を備えていることを特徴とする、請求項２に記載の水素水生成器。
【請求項４】
前記ポットに収容され、前記内容器内で中央に集められた前記ミネラル水が前記内容器から下方に流れ出るための管部と、
前記内容器から流れ出て前記管部を通り下方に向かって流れ落ちるミネラル水を浄化する活性炭の多孔質体と、を備えていることを特徴とする、請求項３に記載の水素水生成器。
【請求項５】
前記リテーナは前記２枚の電極板の下面に接する下板と、前記２枚の電極板の上面に接する上板と、
前記上板に一体に形成され、前記多孔質体を収容する収容部と、を備えていることを特徴とする、請求項４に記載の水素水生成器。
【考案の詳細な説明】
【技術分野】
【０００１】
本考案は水素水生成器に関する。
【背景技術】
【０００２】
日常飲用している水道水には、浄水場で殺菌用に加えられた塩素のため水の味を悪くし、さらには残留塩素と水中の有機物が化合してトリハリメタン等の人体に悪影響を及ぼす物質が含まれている可能性がある。そのため、従来より、浄水器を用いて浄水の対象である水道水を取り入れ、カーボンフィルタ等により塩素、悪臭ガス等の汚染物質を除去する。
【０００３】
一方、水の改質方法として、電極間の水に電流を流し、水を電気分解してこの水の酸化還元電位を下げた還元水を作る電解器が知られている。
上記電極に交流を印加すると、各電極では水素ガスと酸素ガスが交互に発生し、また、電極で発生する酸素は大気中に放出され溶存酸素量が増加する。一方、上記反応によって生じた水素は過飽和に液中に溶け込み、この結果、酸化体である酸素に比べて還元体である水素が増加し酸化還元電位が低下するものと考えられている。
従来、前記浄水器と電解器とは、各々、別々の容器を用いていた。
【先行技術文献】
【特許文献】
【０００４】
【特許文献１】ＪＰ２００４−４９９４６Ａ（フロントページ）
【考案の概要】
【０００５】
前記特許文献１の発明では、１つの容器の口部に浄水部と電解部とを取り換えて用いる。そのため、別々の容器を用いるのに比べ、コストダウンを図り得る。
【０００６】
別々の容器を用いると、浄水器から電解器へ水を移す必要があり、面倒である。一方、１つの容器内の浄水部と電解部とを取り換えるのも面倒である。
【０００７】
また、別々の容器を用いると、用いていない容器が邪魔になる。一方、浄水部と電解部とを取り換える構造では、用いていない浄水部または電解部が邪魔になる。したがって、各ご家庭で用いるにはスペース効率が悪い。
【０００８】
本考案の目的は、簡便で、かつ、スペース効率の良い水素水生成器を提供することである。
【０００９】
本考案の水素水生成器は、ポットと、
前記ポットに収容され、前記ポット内の原水を浄化するための浄水部と、
前記ポット内に収容され前記浄水部で浄化された原水の一部を電気分解するための少なくとも一対の電極と、
前記ポットに形成され、前記電気分解により発生した水素ガスが原水中に溶解した水素水を前記ポットから注ぎ出すための注ぎ口とを備える。
【００１０】
本考案によれば、１つのポット内に浄水部と一対の電極が内蔵されている。そのため、利用者は、従来の浄水器から電解器へ水を移す作業が不要となり、浄化されて、かつ、電解された水素水を簡便に得ることができる。
【００１１】
しかも、１つのポット内に浄水部と一対の電極が内蔵されていることにより、使用しないポット、浄水部又は電解部が邪魔になることもない。したがって、各ご家庭におけるスペース効率が向上する。
【図面の簡単な説明】
【００１２】
【図１】図１は本考案の一実施例にかかるリテーナ、電極板および電極ユニットを示す斜視図である。
【図２】図２は同電極ユニットと、多孔質体または管部とを示す斜視図である。
【図３】図３は同電極ユニット、管部および供給部を示す斜視図である。
【図４】図４は同実施例にかかるポットの内部に収容されるアセンブリを示す斜視図である。
【図５】図５は同ポットとベースに分解した水素水生成器を示す斜視図である。
【図６】図６は同水素水生成器を示す斜視図である。
【考案を実施するための形態】
【００１３】
好ましくは、前記一対の電極を形成する２枚の板状の電極板を前記電極板が延びる平面において互いに離間させる迷路状の溝と、
前記２枚の電極板を挟み付けると共に前記２枚の電極板を前記ポットの底部に沿って固定するためのリテーナと、を備えている。
【００１４】
この場合、迷路状の溝は２枚の電極板の間の距離を小さく保ちながら、２枚の電極板が互いに対峙する沿面距離を大きくする。そのため、電極間の抵抗が小さく、小さな電力で効率の良い電解を実現することができる。したがって、効率良く水素水を生成することができる。
また、２枚の電極板をリテーナで挟み付けてポットの底部に沿って固定するから、電極板の前記状態を安定して保持し得ると共に、電極板をポット内にコンパクトに収容することができる。
【００１５】
更に、好ましくは、前記ポットに収容され、前記ポットに注がれた原水と前記水素水とが混合するのを抑制する内容器と、
前記内容器内の原水にミネラル分を付加してミネラル水を生成する供給部と、を備えている。
【００１６】
この場合、ポットに新たに注がれた水道水などの原水が水素水と直ちに混合するおそれがなく、したがって、浄水および電解に無駄が生じにくい。
しかも、内容器内の原水にミネラル分が付加されるので、鉱物イオンが豊かになって電解効率が向上する。
【００１７】
更に、好ましくは、前記ポットに収容され、前記内容器内で中央に集められた前記ミネラル水が前記内容器から下方に流れ出るための管部と、
前記内容器から流れ出て前記管部を通り下方に向かって流れ落ちるミネラル水を浄化する活性炭の多孔質体と、を備えている。
【００１８】
この場合、ミネラル水が多孔質体により確実に浄化される。
【００１９】
更に、好ましくは、前記リテーナは前記２枚の電極板の下面に接する下板と、前記２枚の電極板の上面に接する上板と、
前記上板に一体に形成され、前記多孔質体を収容する収容部と、を備えている。
【００２０】
この場合、リテーナの上板に一体に形成された収容部に多孔質体をコンパクトに収容することができる。
【実施例】
【００２１】
以下、本考案の一実施例を図面にしたがって説明する。
図５Ａおよび図５Ｂに示すように、本実施例の水素水生成器は、ポット１とベース８とに分離できる。図６のポット１には把手１１が一体に形成され、また、ポット１の上方の開口は蓋１３で覆われている。
【００２２】
図６に示すように、前記ベース８はポット１の底部を支えると共に、図示しない電源回路が収容されていてもよい。前記電源回路は交番する高周波（例えば３０ＫＨｚ〜５０ＫＨｚ）の電圧（例えば５Ｖ〜５０Ｖ）を図５Ｂの一対のターミナル８１を介してポット１内の電極板３，３に印加する。なお、図示していないが、ポット１の底面にはポット１をベース８に置いた状態で前記ターミナル８１に接触する接触端子が露出している。
【００２３】
前記ベース８には、前記電源回路からの交流電力を所定時間供給させるスタートボタンが設けられていてもよい。また、供給時間は前記ボタンの一度押し、二度押し等により選択できるようにしてもよい。  
【００２４】
図５Ａの前記ポット１には浄水部２および２枚の電極版３が収容されている。前記浄水部２は前記ポット１内の原水を浄化するためのものである。前記２枚の電極版３は前記浄水部２で浄化された原水の一部を電気分解して水素水を生成するためのものである。
【００２５】
図１Ｂに示すように、２枚の電極版３，３の間には、迷路状で、かつ、１本の連なった溝３Ｇが形成されている。前記溝３Ｇは２枚の板状の電極板３，３を前記電極板３，３が延びる平面において互いに離間させる。
【００２６】
図１Ｃに示すように、前記２枚の電極板３，３は樹脂製のリテーナ４の下板４０および上板４１により挟み付けられている。図５Ａのリテーナ４は一対のボルト４３により前記２枚の電極板３，３を前記ポット１の下部に固定している。
【００２７】
図１Ｂの前記リテーナ４の下板４０は前記２枚の電極板３，３の下面に接する。一方、図１Ａの前記上板４１は前記２枚の電極板３，３の上面に接する。図１Ｂの下板４０には２枚の電極板３，３の多数の貫通孔３Ｈに嵌合する多数の小突起４４が一体に形成されている。両者の嵌合により、電極板３が下板４０に位置決めされる。
【００２８】
図１Ａの前記上板４１には複数の係合爪４５が一体に形成されている。前記係合爪４５が前記下板４０に係合することで、図１Ｃのように、電極板３を挟んだ状態が維持される。
【００２９】
図２Ａに示すように、前記上板４１には活性炭の多孔質体７を収容する円管状の収容部４２が一体に形成されている。
【００３０】
図５の前記ポット１には図４の内容器１２が収容されている。前記内容器１２は前記ポット１に注がれた原水と前記水素水とが混合するのを抑制する。図５Ａの前記ポット１には前記内容器１２との間に注ぎ口１０が形成されている。前記注ぎ口１０は前記電気分解により発生した水素ガスが原水中に溶解した水素水を前記ポット１から注ぎ出すためのもので、開閉蓋１３で開閉される。前記内容器１２内には原水にミネラル（鉱物質）分を付加してミネラル水を生成する供給部５が設けられている。
【００３１】
図３の前記供給部５は、カートリッジ方式で交換可能であり、Ｃａ，Ｍｇ，Ｚｎなどのミネラル成分を含んだ天然鉱石や原水中にミネラルを付加する人工のミネラルセラミックをフィルタ内に収容し、前記フィルタごとカートリッジケース５０内に収容されている。なお、カートリッジケース５０の上端には原水の注入口５１が開口している。
【００３２】
前記供給部５は管部６に連通している。管部６は図５の前記ポット１に収容され、前記内容器１２内で中央に集められた前記ミネラル水が前記内容器１２から下方に流れ出るためのものである。前記管部６は図２Ｂの収容部４２に支持されている。なお、管部６内にも活性炭の多孔質体７が設けられていてもよい。
【００３３】
活性炭の多孔質体７は図４の前記内容器１２から流れ出て前記管部６を通り下方に向かって流れ落ちるミネラル水を浄化する。ここで、「浄化」とは、水道水中の塩素成分を低減させる脱塩素の他に、トリハロメタン等の有害物質や匂い等を低減させることのうち、１以上の機能を発揮することをいう。
【００３４】
つぎに、図６の水素水生成器の用い方について説明する。図６のポット１の蓋１３を開け、図４のカートリッジケース５０の注入口５１から水道水（原水の一例）を注ぎ入れる。この際、カートリッジケース５０が内容器内１２に収容されているから、生成済みの水素水に水道水とが混合するおそれがない。カートリッジケース５０内に入った水道水は供給部５において、ミネラル分が付加されたミネラル水となる。
【００３５】
前記ミネラル水は前記カートリッジケース５０の底部またはスリット５２からカートリッジケース５０の外に出て、下方の管部６内を流下する。前記ミネラル水は前記管部６の流下中および流下後に、活性炭の多孔質体７で浄化される。前記浄化されたミネラル水は、前記ポット１の内容器内１２よりも下方の領域に貯められる。
【００３６】
前記ミネラル水が貯留された後、使用者が図６のベース８の図示しないボタンを押下すると、前記電源回路から前記一対の電極板３に所定の交流電力が給電される。前記電力が入力された電極板３，３からは水素及び酸素が電圧の交番に応じて交互に発生し、分子の小さい水素分子がミネラル水中に多量に溶け込んだ周知の水素水が生成される。
【００３７】
生成された水素水はポット１の注ぎ口１０から取り出され、飲料水やスキンケア水等として使用される。
【産業上の利用可能性】
【００３８】
本考案は飲料水やスキンケア水に適した水素水を生成する水素水生成器に適用できる。
【符号の説明】
【００３９】
１：ポット １０：注ぎ口  １１：把手  １２：内容器  １３：蓋
２：浄水部
３：電極板（電極）   ３Ｇ：溝  ３Ｈ：貫通孔  ３０：電極ユニット
４：リテーナ  ４０：下板  ４１：上板  ４２：収容部  ４３：ボルト  ４４：小突起
４５：係合爪
５：供給部  ５０：カートリッジケース  ５１：注入口  ５２：スリット
６：管部  
７：多孔質体
８：ベース  ８１：ターミナル  
【図１】
0003193833.tif 000003
【図２】
0003193833.tif 000004
【図３】
0003193833.tif 000005
【図４】
0003193833.tif 000006
【図５】
0003193833.tif 000007
【図６】
0003193833.tif 000008